(57)【要約】【課題】            簡単な構成でＤＣモーターのバラツキによる風量精度の悪化を回避できる、ＤＣモーターで駆動する送風機を備えた風量一定制御方式の換気装置を得る。【解決手段】        ＤＣモーター１で駆動する送風機を備え、風量を一定に制御する制御機能を持つ換気装置について、換気装置の制御回路２によって制御関数に基づいてＤＣモーター１を駆動し、定風量制御するようにする。その制御関数に関しては、この換気装置と同じ任意の基準換気装置によって予め取得された関数である。制御関数に当該換気装置の送風機のＤＣモーター１のバラツキ分を補正値として取入れる。補正値は基準換気装置のＤＣモーターが安定した任意の回転数のときの指令電圧値を測定し、この指令電圧値と、換気装置のＤＣモーター１が基準換気装置のＤＣモーターと同じ安定した回転数のときの指令電圧値との差を算出して求める。【選択図】          図２
2008082643.tif 000002
【特許請求の範囲】
【請求項１】
ＤＣモーターで駆動する送風機を備え、風量を一定に制御する制御機能を持つ風量一定制御方式の換気装置であって、その換気装置の制御回路によって制御関数に基づいて前記ＤＣモーターを駆動し、風量一定制御するようにするとともに、その制御関数を、この換気装置と同じ任意の基準換気装置によって予め取得された関数とし、この制御関数に当該換気装置の送風機の前記ＤＣモーターのバラツキ分を補正値として取入れて制御するようにし、この補正値は、前記基準換気装置のＤＣモーターが設置状態や周辺の環境等の影響を受け難い任意の低回転数のときの指令電圧値を測定し、この指令電圧値と、当該換気装置の前記ＤＣモーターが前記基準換気装置のＤＣモーターと同じ回転数で安定したときの指令電圧値との差として設定した換気装置。
【請求項２】
請求項１に記載の換気装置であって、任意の低回転数の値を毎分５００回転前後とした換気装置。
【請求項３】
請求項１又は請求項２のいずれかに記載の換気装置であって、制御回路に補正値を記憶させて随意に読出すことができるように記憶素子を設けた換気装置。
【発明の詳細な説明】
【技術分野】
【０００１】
本発明は、ＤＣモーターで駆動する送風機を備えた風量一定制御方式の換気装置に関するものである。
【背景技術】
【０００２】
風量を一定に制御する換気装置では、送風機を駆動するモーターがＤＣモーターで構成されているものが多い。この種の換気装置にはファン及びＤＣモーター等のバラツキを補正して風量一定運転を実現したものがある（例えば、特許文献１及び特許文献２）。
【０００３】
【特許文献１】特開２００５−３０００８９号公報
【特許文献２】特開昭５７−１１８９１６号公報
【発明の開示】
【発明が解決しようとする課題】
【０００４】
特許文献１に示された技術は、排気風路を全閉するダンパや圧力検知手段を用い、標準Ｐ（静圧）−Ｑ（風量）データと標準Ｎ（回転数）−Ｑ（風量）データを補正して補正データで風量を制御するようにしている。しかし、換気装置に排気風路を全閉するダンパが必要であり、圧力検知手段等、換気装置の構成を随分複雑なものにしている。また、ＤＣモーターの電圧、電流、回転数等を検知して、制御回路からＤＣモーターへの指令にフィードバックをかける方法も採られているが、ＤＣモーター自体のバラツキ等が風量一定制御に影響を及ぼし、風量精度が悪くなっている。
【０００５】
本発明は、上記した問題点を解決するためになされたものであり、その課題とするところは、簡単な構成でＤＣモーターのバラツキによる風量精度の悪化を回避できる、ＤＣモーターで駆動する送風機を備えた風量一定制御方式の換気装置を得ることである。
【課題を解決するための手段】
【０００６】
上記課題を解決するために本発明は、ＤＣモーターで駆動する送風機を備え、風量を一定に制御する制御機能を持つ換気装置について、換気装置の制御回路によって制御関数に基づいてＤＣモーターを駆動し、定風量制御するようにする。その制御関数に関しては、この換気装置と同じ任意の基準換気装置によって予め取得された関数であり、この制御関数に当該換気装置の送風機のＤＣモーターのバラツキ分を補正値として取入れる。補正値は、前記基準換気装置のＤＣモーターが安定した任意の回転数のときの指令電圧値を測定し、この指令電圧値と、当該換気装置のＤＣモーターが基準換気装置のＤＣモーターと同じ安定した回転数のときの指令電圧値との差を算出して求めたものである。
【発明の効果】
【０００７】
本発明によれば、制御回路に取込む風量一定制御するための制御関数を、当該換気装置と同じ任意の基準換気装置によって予め取得された関数とし、基準換気装置のＤＣモーターが安定した任意の回転数のときの指令電圧値を測定し、この指令電圧値と、当該換気装置のＤＣモーターが基準換気装置のＤＣモーターと同じ安定した回転数のときの指令電圧値との差を算出して補正値として取込み風量一定制御するため、当該換気装置のＤＣモーターのバラツキによって生じる風量精度の悪化を簡単かつ容易に回避することができる。
【発明を実施するための最良の形態】
【０００８】
本発明は、ＤＣモーターで駆動する送風機を備え、風量を一定に制御する制御機能を持つ換気装置について、換気装置の制御回路によって制御関数に基づいてＤＣモーターを駆動し、風量一定制御するようにする。制御回路の制御動作の基となる制御関数に関しては、この換気装置と同じ任意の基準換気装置によって予め取得された関数である。この制御関数に当該換気装置の送風機のＤＣモーターのバラツキ分を補正値として取入れる。補正値は、基準換気装置のＤＣモーターが安定した任意の回転数（換気装置の設置状態や周辺の環境等の影響を受け難い低回転数）のときの指令電圧値を測定し、この指令電圧値と、当該換気装置のＤＣモーターが基準換気装置のＤＣモーターと同じ安定した回転数のときの指令電圧値との差を算出して求めたものである。
【０００９】
換気装置に最初に電源を投入したときに、基準となる指令電圧でＤＣモーターの動作を開始させる。ＤＣモーターの回転数が、基準換気装置のＤＣモーターの任意の回転数と同様の回転数で安定して動作するようになるまでＤＣモーターへの指令電圧を調整し、このときの指令電圧を測定する。基準換気装置のＤＣモーターが安定した任意の回転数のときの指令電圧値と、当該換気装置のＤＣモーターが基準換気装置のＤＣモーターと同じ安定した回転数のときの指令電圧値との差を算出して補正値として取込み、風量一定制御する。ＤＣモーターのバラツキは、指令電圧により調整可能であることから、上記補正値をＤＣモーターのバラツキを補正するための補正量として適用することができる。この補正値を記憶素子に記憶させておくことにより、電源投入時にのみ補正処理を実施すればよく、当該換気装置のＤＣモーターのバラツキによって生じる風量一定制御の風量精度の悪化を簡単かつ容易に回避することができる。
【００１０】
実施の形態１．
図１は、本実施の形態の換気装置を示す斜視図、図２は、換気装置の制御回路のブロック構成図、図３は、補正処理のフローチャート、図４は、ＤＣモーターの回転数と、指令電圧の変動範囲の関係をグラフで示す説明図である。
【００１１】
本実施の形態の換気装置は、ＤＣモーター１で駆動する送風機を備え、風量を一定に制御する制御機能を持つ換気装置で、マイクロコンピユータを含む制御回路２によって制御関数に基づいてＤＣモーター１を駆動し、風量一定制御するように構成されている。換気装置には図１に示すようにダクト接続の可能な排気口３と吸込み口４が送風機の吹出し側と吸込み側にそれぞれ設けられている。制御回路２は、図２に示すようにＤＣモーター１の回転数を検出する回転数検出回路５、モータ指令電圧を生成しＤＣモーター１に出力する指令電圧生成回路６、風量を設定する風量設定手段７、記憶素子８を備えている。制御回路２の制御動作の基となる制御関数に関しては、この換気装置と同種の任意の基準換気装置（図示しない）によって予め取得された関数である。
【００１２】
当該換気装置が運転する前に、制御回路２の制御関数に送風機のＤＣモーター１のバラツキ分を補正値として取入れる処理をする（図３参照）。補正値は、基準換気装置のＤＣモーターが安定した任意の回転数のときの指令電圧値Ｖｓｂを測定し、この指令電圧値Ｖｓｂと、当該換気装置のＤＣモーター１が基準換気装置のＤＣモーターと同じ安定した任意の回転数のときの指令電圧値Ｖｓとの差を算出して求めたものである。任意の回転数には、換気装置に接続されるダクト等、設置状態や周辺の環境等の影響を受け難い低回転数が選択される。例えば、ＤＣモーター１が毎分４００回転〜毎分２０００回転の間で動作可能な換気装置であれば、ＤＣモーター１のバラツキを補正する回転数としては、毎分５００回転程度が良い。
【００１３】
換気装置に最初に電源を投入したときに、基準となる指令電圧でＤＣモーター１の動作を開始させる。ＤＣモーター１の回転数が、基準換気装置のＤＣモーターの毎分５００回転の回転数と同様の回転数で安定して動作するようになるまでＤＣモーター１への指令電圧を調整し、このときの指令電圧値Ｖｓを測定する。基準換気装置のＤＣモーターが安定した毎分５００回転の回転数のときの指令電圧値Ｖｓｂと、当該換気装置のＤＣモーター１が基準換気装置のＤＣモーターと同じ安定した毎分５００回転の回転数のときの指令電圧値Ｖｓとの差（Ｖｓ−Ｖｓｂ）を算出して補正値Ｖｓ（ｏｆｆｓｅｔ）として取込み、風量一定制御する。
【００１４】
ＤＣモーター１のバラツキは、指令電圧により調整可能であることから、上記補正値Ｖｓ（ｏｆｆｓｅｔ）をＤＣモーター１のバラツキを補正するための補正量として適用することができる。この補正値Ｖｓ（ｏｆｆｓｅｔ）を記憶素子８に記憶させておくことにより、電源投入時にのみ補正処理を実施すればよく、当該換気装置のＤＣモーター１のバラツキによって生じる風量一定制御の風量精度の悪化を簡単かつ容易に回避することができる。なお、この補正処理のフローは図３に示したとおりである。また、任意の回転数の設定には、換気装置に接続されるダクト等、設置状態や周辺の環境等の影響を受け難く、指令電圧値の変動範囲の少ない図４に示すような低回転数が選択される。ここでは、ＤＣモーターが毎分４００回転〜毎分２０００回転の間で動作可能な換気装置で、ＤＣモーター1のバラツキを補正する回転数としては、毎分５００回転が選択される。
【図面の簡単な説明】
【００１５】
【図１】換気装置を示す斜視図である。（実施の形態１）
【図２】換気装置の制御回路のブロック構成図である。（実施の形態１）
【図３】補正処理のフローチャートである。（実施の形態１）
【図４】ＤＣモーターの回転数と、指令電圧の変動範囲の関係をグラフで示す説明図である。（実施の形態１）
【符号の説明】
【００１６】
１  ＤＣモーター、  ２  制御回路、  ５  回転数検出回路、  ６  指令電圧生成回路、  ８  記憶素子。
【図１】
2008082643.tif 000003
【図２】
2008082643.tif 000004
【図３】
2008082643.tif 000005
【図４】
2008082643.tif 000006